(57)【特許請求の範囲】
【請求項１】
伸縮性のあるカバー生地を用いて作られる寝具カバーであって、
前記カバー生地は、矩形形状の基部と、前記基部の四辺にそれぞれ繋がる矩形形状の四つの厚み対応部と、前記四つの厚み対応部の前記基部に繋がる内辺の反対側の外辺にそれぞれ繋がり、外側に向かって幅が狭くなる台形形状の四つの開口形成部とを備えた展開形状を有し、
前記四つの厚み対応部を前記基部に対して直角に内側に折り曲げるとともに前記四つの開口形成部を内側に折り曲げ、互いに接する前記厚み対応部の側辺および前記開口形成部の斜辺をそれぞれ接合し、寝具を挿入する開口部を有する立体形状に形成され、
前記開口形成部の斜辺の前記外辺に対する角度θを、前記開口部から挿入される寝具の厚みに応じて４５度＜θ＜９０度の範囲で設定し、前記寝具を挿入した状態において前記厚み対応部の前記外辺から高さ方向に前記開口形成部により膨らみをもたせたことを特徴とする寝具カバー。
【請求項２】
前記カバー生地よりも伸縮性の高い生地からなるヘム部材を前記開口部の周縁部に伸縮性のある糸により縫い付けて構成されたことを特徴とする請求項１に記載の寝具カバー。
【請求項３】
前記四つの開口形成部はそれぞれ、前記開口部の四つの角部に丸みを形成する丸み形成部を有することを特徴とする請求項１または２に記載の寝具カバー。
【発明の詳細な説明】
【技術分野】
【０００１】
本発明は、枕、敷布団、ベッドマットレス等の寝具を覆う寝具カバーに関する。
【背景技術】
【０００２】
上記のような寝具カバーの一例として、寝具の平面寸法よりも小さな開口部を有する袋状に形成され、開口部にゴムバンドを通してギャザー状に縫製した寝具カバー（枕カバー）が知られている（特許文献１を参照）。このような寝具カバーでは、開口部を広げて内部に寝具を挿入するだけで寝具に装着することができ、同様に開口部を広げて内部の寝具を抜き取るだけで寝具から取り外すことができるため、寝具への着脱がとても容易である。
【先行技術文献】
【特許文献】
【０００３】
【特許文献１】実用新案登録第３０６５４４９号公報
【発明の概要】
【発明が解決しようとする課題】
【０００４】
上記のような寝具カバーでは、寝具への着脱の容易性を確保するため、寝具に対して多少余裕のあるサイズに形成されている。そのため、寝具に装着されたときに寝具カバーにたるみや皺が生じる。また、従来の寝具カバーでは、開口部にゴムバンドを通してギャザー状に縫製されているため、開口部周辺において縫い皺が目立つ。このような装着時の寝具カバーのたるみや皺は、使用感の不良や装着状態の美観を損なうという問題がある。また、寝具から取り外して洗濯するときに皺部分の洗い漏れが生じやすいという問題や、洗濯後にこれを干して乾燥するときに扱い難く、乾燥後にこれを畳んで収納するときにも扱い難いという問題もある。
【０００５】
本発明はこのような課題に鑑みてなされたものであり、寝具への装着時にたるみや皺が少ないフィット性の良好な寝具カバーを提供することを目的とする。
【課題を解決するための手段】
【０００６】
上記目的を達成するため、本発明は、伸縮性のあるカバー生地を用いて作られる寝具カバーであって、前記カバー生地は、矩形形状の基部と、前記基部の四辺にそれぞれ繋がる矩形形状の四つの厚み対応部と、前記四つの厚み対応部の前記基部に繋がる内辺の反対側の外辺にそれぞれ繋がり、外側に向かって幅が狭くなる台形形状の四つの開口形成部とを備えた展開形状を有する。そして、前記四つの厚み対応部を前記基部に対して直角に内側に折り曲げるとともに前記四つの開口形成部を内側に折り曲げ、互いに接する前記厚み対応部の側辺および前記開口形成部の斜辺をそれぞれ接合し、寝具を挿入する開口部を有する立体形状に形成され、前記開口形成部の斜辺の前記外辺に対する角度θを、前記開口部から挿入される寝具の厚みに応じて４５度＜θ＜９０度の範囲で設定し、前記寝具を挿入した状態において前記厚み対応部の前記外辺から高さ方向に前記開口形成部により膨らみをもたせたことを特徴とする。
【０００７】
なお、上記構成の寝具カバーにおいて、前記カバー生地よりも伸縮性の高い生地からなるヘム部材を前記開口部の周縁部に伸縮性のある糸により縫い付けて構成されることが好ましい。
【０００８】
また、上記構成の寝具カバーにおいて、前記四つの開口形成部はそれぞれ、前記開口部の四つの角部に丸みを形成する丸み形成部を有することが好ましい。
【発明の効果】
【０００９】
本発明に係る寝具カバーは、伸縮性のあるカバー生地により寝具挿入用の開口部を有する立体形状に形成され、開口部を形成する部分において寝具の厚みに応じた膨らみをもたせた構成となっている。このような構成によれば、カバー生地自体が伸縮性を有しており、さらに寝具の厚みに応じた膨らみをもたせた形状となっているため、寝具への装着時のたるみや皺が少なく、寝具に合わせて無理なくフィットさせることができる。
【００１０】
また、カバー生地よりも伸縮性の高い生地からなるヘム部材を開口部の周縁部に伸縮性のある糸により縫い付けられる構成とすれば、開口部にゴムバンドを通してギャザー状に縫製された従来の寝具カバーのように開口部周辺において縫い皺が生じることがない。また、寝具から取り外したときに、従来の寝具カバーのようにゴムバンドによって寝具カバーが縮まることがないため、洗濯をして干す際に寝具カバーを広げて干すことができ、乾きやすさも良好である。
【００１１】
また、四つの開口形成部がそれぞれ開口部の四つの角部に丸みを形成する丸み形成部を有する構成とすれば、寝具を挿入する開口部を丸みのある形状とすることができ、上記ヘム部材を開口部の周縁部に綺麗に縫い付けることができる
【図面の簡単な説明】
【００１２】
【図１】本発明に係る寝具カバーの展開図である。
【図２】本発明に係る寝具カバーのヘム部材を取り付ける前の状態を示す図であり、（ａ）は平面図、（ｂ）は側面図である。
【図３】本発明に係る寝具カバーのヘム部材を取り付けた状態を示す平面図である。
【図４】本発明に係る寝具カバーを寝具に装着したときの図であり、（ａ）は薄い寝具に装着したときの側面図、（ｂ）は厚い寝具に装着したときの側面図である。
【発明を実施するための形態】
【００１３】
以下、図面を参照して本発明の実施形態について説明する。本実施形態に係る寝具カバー１は、伸縮性のあるカバー生地２を用いて作られ、枕、敷布団、ベッドマットレス等の寝具を覆うものである。カバー生地２としては、例えば、綿糸やポリエステル糸等の糸による緯編生地（例えば、ニット生地、ジャージ生地）や経編生地（例えば、トリコット生地）のような伸縮性のある組織の編み生地、或いは伸縮性のある糸を用いた織物生地が用いられる。
【００１４】
カバー生地２は、図１に示すように、矩形状の基部１１と、基部１１の四辺にそれぞれ繋がる矩形状の四つの厚み対応部１２と、四つの厚み対応部１２の基部１１に繋がる内辺１２ａの反対側の外辺１２ｂにそれぞれ繋がり、外側に向かって幅が狭くなる台形状の四つの開口形成部１３とを備えた展開形状を有している。
【００１５】
このような展開形状のカバー生地２において、四つの厚み対応部１２を基部１１に対して略直角に内側に折り曲げられるとともに、四つの開口形成部１３を内側に折り曲げ、互いに接する厚み対応部１２の側辺１２ｃおよび開口形成部１３の斜辺１３ａをそれぞれ接合する（例えば、糸により縫い合わせる）ことにより、図２に示すように、寝具を挿入する開口部１５を有する立体形状に形成される。なお、図２では角ばった立体形状を示しているが、実際には生地材料を接合して形成されているため丸みを帯びた立体形状になっている。
【００１６】
開口形成部１３の斜辺１３ａの外辺１２ｂに対する角度θは、開口部１５から挿入される寝具の厚みに応じて設定されている。より詳細には、互いに接合される斜辺１３ａの角
度θを足し合わせた合算角度２θが、寝具の厚みに応じて９０度よりも角度αだけ大きくなるように設定されている。また、合算角度２θは１８０度よりも小さくなるように設定されている。すなわち、合算角度２θは、９０度＜２θ＜１８０度の範囲で設定されている。図１の展開形状では、互いに接合される斜辺１３ａの角度θがそれぞれ、４５度よりも同じ角度α／２だけ大きくなるように設定されている。しかし、例えば、一方の角度θを５０度よりも角度α／２だけ大きくなるように設定し、他方の角度θを４０度よりも角度α／２だけ大きくなるように設定してもよい。また、一方の角度θを４５度よりも角度αだけ大きくなるように設定し、他方の角度θを４５度となるように設定してもよい。
【００１７】
このように開口形成部１３の斜辺１３ａの角度θが寝具の厚みに応じて設定されているため、上記のようにそれぞれの辺を接合して立体形状に形成すると、図２（ｂ）に示すように、厚み対応部１２による高さＨ1に加えて、開口形成部１３による高さＨ2の分だけ寝具カバー１が高さ（膨らみ）を増すようになっている。
【００１８】
また、四つの開口形成部１３はそれぞれ、開口部１５の四つの角部に丸みを形成する丸み形成部１４，１４を有している。これらの丸み形成部１４により、上記のようにそれぞれの辺を接合して立体形状に形成すると、図２（ａ）に示すように、開口部１５の四つの角部がそれぞれ曲線を有した形状に形成される。
【００１９】
寝具カバー１は、図３に示すように、カバー生地２よりも伸縮性の高い生地からなるヘム部材２０を、開口部１５の周縁部に伸縮性のある糸（例えば、スパンデックス糸）により縫い付けて構成されている。ヘム部材２０は、寝具カバー１の自由状態での開口部１５の周縁部の大きさ（長さ）と略同一の大きさに形成されている。そのため、伸縮性のあるヘム部材２０を取り付けても開口部１５の大きさを変更することがないようになっている。これにより、従来のように開口部にゴムを取り付けて自由状態では開口部が絞られて皺がよるというようなことがない。ヘム部材２０を構成する生地は、例えば、ポリエステル等の糸による伸縮性のある組織の編み生地が用いられる。
【００２０】
ヘム部材２０の開口部１５への縫い付け方としては、例えば、偏平縫い（表裏両方に飾り糸が入った縫い目）による二重環縫い（１本の針糸と１本のルーパー糸で形成される縫い目（チェーンステッチ）で巻き縫い（縁を１本糸でかがり縫い）により縫い付けられることが好ましい。このような縫い付け方によれば、ヘム部材２０およびカバー生地２の伸縮性を損なわず、開口部１５を大きく広げることができる。
【００２１】
以上のように構成された寝具カバー１では、伸縮性のあるカバー生地２により寝具挿入用の開口部１５を有する立体形状に形成され、開口形成部１３の斜辺１３ａの角度θが寝具の厚みに応じて設定されることにより、開口形成部１３において寝具の厚みに応じた膨らみをもたせた構成となっている。このような構成によれば、カバー生地２自体が伸縮性を有しており、さらに寝具の厚みに応じた膨らみをもたせた形状となっているため、寝具への装着時のたるみや皺が少なく、寝具に装着することができる。また、図２（ｂ）に示す開口形成部１３による高さＨ2により、実際に寝具を包んで装着した場合に厚み対応部
１２および開口形成部１３の突っ張りを軽減させることができ、開口形成部１３およびヘム部材２０によりソフトに締め付けるだけで、寝具に合わせて無理なくフィットさせることができる。なお、開口部にゴムバンドを通してギャザー状に縫製された従来の寝具カバーでは、ギャザー部の近くは弛むが、他の部分は突っ張った状態になっている。さらに、寝具カバー１は寝具の厚みに応じた形状となっているため、カバー生地２やヘム部材２０の負担（突っ張り、弛み）を軽減させることができる。
【００２２】
また、開口形成部１３において寝具の厚みに応じた膨らみをもたせた構成となっているため、さまざまな厚みの寝具に、突っ張りや弛みが少なく装着させることができる。例え
ば、図４（ａ）に示すように、寝具の厚みＺ1が厚み対応部１２による高さＨ1よりも小さい寝具の場合には、寝具カバー１の横幅が当該寝具よりも若干小さめに作られているため、寝具カバー１全体が伸びて横幅方向に厚み対応部１２の側辺１２ｃの弛みが吸収され、当該寝具に突っ張りや弛みが少なく装着させることができる。また、図４（ｂ）に示すように、寝具の厚みＺ2が厚み対応部１２による高さＨ1よりも大きい寝具の場合には、寝具カバー１全体が伸びて開口形成部１３の斜辺１３ａにより寝具の厚みＺ2を補い、当該寝
具に突っ張りや弛みが少なく装着させることができる。
【００２３】
また、カバー生地２よりも伸縮性の高い生地からなるヘム部材２０を開口部１５の周縁部に伸縮性のある糸により縫い付けられた構成となっている。そのため、開口部にゴムバンドを通してギャザー状に縫製された従来の寝具カバーのように開口部周辺において縫い皺が生じることがない。また、寝具から取り外したときに、従来の寝具カバーのようにゴムバンドによって寝具カバーが縮まることがないため、洗濯時の洗い漏れが生じ難く、洗濯後に干す際にも寝具カバーを広げて干すことができ、乾燥後にも畳みやすく収納しやすい。また、ヘム部材２０を設けることにより開口部１５の周縁部がほつれたりすることを防ぎ、寝具カバーの耐久性を向上させることもできる。
【００２４】
また、四つの開口形成部１３がそれぞれ丸み形成部１４を有する構成となっている。そのため、開口部１５の四つの角部をそれぞれ曲線を有した丸みのある形状とすることができ、ヘム部材２０を開口部１５の周縁部に綺麗に縫い付けることができる。
【符号の説明】
【００２５】
１    寝具カバー
２    カバー生地
１１  基部
１２  厚み対応部
１３  開口形成部
１４  丸み形成部
１５  開口部
２０  ヘム部材
【図１】
0006470932.tif 000002
【図２】
0006470932.tif 000003
【図３】
0006470932.tif 000004
【図４】
0006470932.tif 000005